【手続補正書】
【提出日】平成26年12月3日(2014.12.3)
【手続補正１】
【補正対象書類名】特許請求の範囲
【補正対象項目名】全文
【補正方法】変更
【補正の内容】
【特許請求の範囲】
【請求項１】
複写対象である用紙原稿を光学的に読み取って読取データを生成し、当該用紙原稿に含まれるコンテンツを認識する認識部と、
前記コンテンツを有する用紙原稿の元データを、所定の記憶装置に記憶されている電子ファイルの中から検索する検索部と、
前記読取データに基づく出力に先立ち、当該読取データと前記元データとを比較して、前記元データに対する前記用紙原稿の不整合を検出する検出部と、を有する出力装置。
【請求項２】
前記検索部は、前記用紙原稿の複写を指示するユーザーを識別するための識別情報と、前記記憶装置に記憶されている電子ファイルの閲覧履歴と、を照合して、当該ユーザーが閲覧したことのある電子ファイルから優先的に検索する請求項１に記載の出力装置。
【請求項３】
前記検出部は、前記読取データから求まるハッシュ値と、前記元データから求まるハッシュ値と、を比較して、前記検出を行う請求項１または２に記載の出力装置。
【請求項４】
前記検出部は、前記読取データを構成する各ページの先頭部分のハッシュ値と、前記元データを構成する各ページの先頭部分のハッシュ値と、を比較して、前記検出を行う請求項３に記載の出力装置。
【請求項５】
前記検出部により前記用紙原稿の不整合が検出された場合には、前記元データを表示する表示部を、さらに有する請求項１〜４のいずれか１項に記載の出力装置。
【請求項６】
前記検出部により前記用紙原稿の不整合が検出されない場合には、前記読取データに基づく印刷物の出力を行う出力部をさらに有し、
前記出力部は、前記検出部により前記用紙原稿の不整合が検出された場合には、前記読取データに基づく出力を行わない請求項１〜５のいずれか１項に記載の出力装置。
【請求項７】
前記検出部は、前記読取データを構成する各ページに含まれる文字のサイズと、前記元データを構成する各ページに含まれる文字のサイズと、を比較して、前記検出を行う請求項１〜６のいずれか１項に記載の出力装置。
【請求項８】
前記検出部は、前記読取データを構成する各ページに含まれる文字のフォントと、前記元データを構成する各ページに含まれる文字のフォントと、を比較して、前記検出を行う請求項１〜７のいずれか１項に記載の出力装置。
【請求項９】
前記検出部は、前記読取データを構成する各ページに付されたページ番号と、前記元データを構成する各ページに付されたページ番号と、を比較して、前記検出を行う請求項１〜８のいずれか１項に記載の出力装置。
【請求項１０】
複写対象である用紙原稿を光学的に読み取って読取データを生成し、当該用紙原稿に含まれるコンテンツを認識する認識ステップと、
前記コンテンツを有する用紙原稿の元データを、所定の記憶装置に記憶されている電子ファイルの中から検索する検索ステップと、
前記読取データに基づく出力に先立ち、当該読取データと前記元データとを比較して、前記元データに対する前記用紙原稿の不整合を検出する検出ステップと、をコンピューターに実行させるプログラム。
【請求項１１】
前記検索ステップでは、前記用紙原稿の複写を指示するユーザーを識別するための識別情報と、前記記憶装置に記憶されている電子ファイルの閲覧履歴と、を照合して、当該ユーザーが閲覧したことのある電子ファイルから優先的に検索する請求項１０に記載のプログラム。
【請求項１２】
前記検出ステップでは、前記読取データから求まるハッシュ値と、前記元データから求まるハッシュ値と、を比較して、前記検出を行う請求項１０または１１に記載のプログラム。
【請求項１３】
前記検出ステップでは、前記読取データを構成する各ページの先頭部分のハッシュ値と、前記元データを構成する各ページの先頭部分のハッシュ値と、を比較して、前記検出を行う請求項１２に記載のプログラム。
【請求項１４】
前記検出ステップで前記用紙原稿の不整合が検出された場合には、前記元データを表示する表示ステップを、さらに前記コンピューターに実行させる請求項１０〜１３のいずれか１項に記載のプログラム。
【請求項１５】
前記検出ステップで前記用紙原稿の不整合が検出されない場合には、前記読取データに基づく印刷物の出力を行う出力ステップをさらに前記コンピューターに実行させ、
前記出力ステップでは、前記検出ステップで前記用紙原稿の不整合が検出された場合には、前記読取データに基づく出力を行わない請求項１０〜１４のいずれか１項に記載のプログラム。
【請求項１６】
前記検出ステップでは、前記読取データを構成する各ページに含まれる文字のサイズと、前記元データを構成する各ページに含まれる文字のサイズと、を比較して、前記検出を行う請求項１０〜１５のいずれか１項に記載のプログラム。
【請求項１７】
前記検出ステップでは、前記読取データを構成する各ページに含まれる文字のフォントと、前記元データを構成する各ページに含まれる文字のフォントと、を比較して、前記検出を行う請求項１０〜１６のいずれか１項に記載のプログラム。
【請求項１８】
前記検出ステップでは、前記読取データを構成する各ページに付されたページ番号と、前記元データを構成する各ページに付されたページ番号と、を比較して、前記検出を行う請求項１０〜１７のいずれか１項に記載のプログラム。
【請求項１９】
請求項１０〜１８のいずれか１項に記載のプログラムを記憶したコンピューター読み込み可能な記録媒体。
【手続補正２】
【補正対象書類名】明細書
【補正対象項目名】発明の名称
【補正方法】変更
【補正の内容】
【発明の名称】出力装置、プログラム、および記録媒体
【手続補正３】
【補正対象書類名】明細書
【補正対象項目名】０００１
【補正方法】変更
【補正の内容】
【０００１】
本発明は、出力装置、プログラム、および記録媒体に関し、特に、ＡＤＦ（Ａｕｔｏ Ｄｏｃｕｍｅｎｔ Ｆｅｅｄｅｒ）や原稿台に載置された用紙原稿の乱丁、落丁を検出する技術に関する。
【手続補正４】
【補正対象書類名】明細書
【補正対象項目名】００１１
【補正方法】変更
【補正の内容】
【００１１】
本発明は、上記事情に鑑みてなされたものであり、用紙原稿を複写する際に乱丁や落丁といった不整合が生じるのを防止する出力装置、プログラム、および記録媒体を提供することを目的とする。
【手続補正５】
【補正対象書類名】明細書
【補正対象項目名】００１２
【補正方法】変更
【補正の内容】
【００１２】
（１）複写対象である用紙原稿を光学的に読み取って読取データを生成し、当該用紙原稿に含まれるコンテンツを認識する認識部と、前記コンテンツを有する用紙原稿の元データを、所定の記憶装置に記憶されている電子ファイルの中から検索する検索部と、前記読取データに基づく出力に先立ち、当該読取データと前記元データとを比較して、前記元データに対する前記用紙原稿の不整合を検出する検出部と、を有する出力装置。
【手続補正６】
【補正対象書類名】明細書
【補正対象項目名】００１３
【補正方法】変更
【補正の内容】
【００１３】
（２）前記検索部は、前記用紙原稿の複写を指示するユーザーを識別するための識別情報と、前記記憶装置に記憶されている電子ファイルの閲覧履歴と、を照合して、当該ユーザーが閲覧したことのある電子ファイルから優先的に検索する上記（１）に記載の出力装置。
【手続補正７】
【補正対象書類名】明細書
【補正対象項目名】００１４
【補正方法】変更
【補正の内容】
【００１４】
（３）前記検出部は、前記読取データから求まるハッシュ値と、前記元データから求まるハッシュ値と、を比較して、前記検出を行う上記（１）または（２）に記載の出力装置。
【手続補正８】
【補正対象書類名】明細書
【補正対象項目名】００１５
【補正方法】変更
【補正の内容】
【００１５】
（４）前記検出部は、前記読取データを構成する各ページの先頭部分のハッシュ値と、前記元データを構成する各ページの先頭部分のハッシュ値と、を比較して、前記検出を行う上記（３）に記載の出力装置。
【手続補正９】
【補正対象書類名】明細書
【補正対象項目名】００１６
【補正方法】変更
【補正の内容】
【００１６】
（５）前記検出部により前記用紙原稿の不整合が検出された場合には、前記元データを表示する表示部を、さらに有する上記（１）〜（４）のいずれかに記載の出力装置。
【手続補正１０】
【補正対象書類名】明細書
【補正対象項目名】００１７
【補正方法】変更
【補正の内容】
【００１７】
（６）前記検出部により前記用紙原稿の不整合が検出されない場合には、前記読取データに基づく印刷物の出力を行う出力部をさらに有し、前記出力部は、前記検出部により前記用紙原稿の不整合が検出された場合には、前記読取データに基づく出力を行わない上記（１）〜（５）のいずれかに記載の出力装置。
【手続補正１１】
【補正対象書類名】明細書
【補正対象項目名】００１８
【補正方法】変更
【補正の内容】
【００１８】
（７）前記検出部は、前記読取データを構成する各ページに含まれる文字のサイズと、前記元データを構成する各ページに含まれる文字のサイズと、を比較して、前記検出を行う上記（１）〜（６）のいずれかに記載の出力装置。
【手続補正１２】
【補正対象書類名】明細書
【補正対象項目名】００１９
【補正方法】変更
【補正の内容】
【００１９】
（８）前記検出部は、前記読取データを構成する各ページに含まれる文字のフォントと、前記元データを構成する各ページに含まれる文字のフォントと、を比較して、前記検出を行う上記（１）〜（７）のいずれかに記載の出力装置。
【手続補正１３】
【補正対象書類名】明細書
【補正対象項目名】００２０
【補正方法】変更
【補正の内容】
【００２０】
（９）前記検出部は、前記読取データを構成する各ページに付されたページ番号と、前記元データを構成する各ページに付されたページ番号と、を比較して、前記検出を行う上記（１）〜（８）のいずれかに記載の出力装置。
【手続補正１４】
【補正対象書類名】明細書
【補正対象項目名】００２９
【補正方法】変更
【補正の内容】
【００２９】
（１８）前記検出ステップでは、前記読取データを構成する各ページに付されたページ番号と、前記元データを構成する各ページに付されたページ番号と、を比較して、前記検出を行う上記（１０）〜（１７）のいずれかに記載のプログラム。